(57)【要約】【課題】浴室の換気扇と脱衣室の除湿装置を連動させることにより、効率的で使い勝手の良い乾燥システムを提供することを目的とする。【解決手段】浴室６に換気扇７を設置し、浴室６と隣接した脱衣室１２に除湿装置１３を設置し、浴室６と脱衣室１２間に設けたドア９に通気口１０を設け、除湿装置１３により除湿した空気を換気扇７を作動させ前記通気口１０より浴室内部に取り込むことにより、浴室を素早く、しかも効率良く乾燥させることができる。【選択図】図１
2005291668.tif 000002
【特許請求の範囲】
【請求項１】
浴室に換気扇を設置し、浴室と隣接した脱衣室に除湿装置を設置し、浴室と脱衣室間に設けたドアに通気口を設け、除湿装置により除湿した空気を換気扇を作動させ前記通気口より浴室内部に取り込む浴室乾燥システム。
【請求項２】
前記換気扇は空気を吸込む吸込み口と、前記吸込み口からの空気を浴室外に排気させる排気機能と浴室内部に吹出して空気を循環させる循環機能と、前記排気機能の風路と前記循環機能の風路とを切換える風路切換え部とを備えた請求項１に記載の浴室乾燥システム。
【請求項３】
前記換気扇に浴室湿度センサーを設け、前記脱衣室に脱衣室湿度センサーを設け、前記浴室湿度センサーと脱衣室湿度センサーの情報により風路切換え部の切換えを行ない、浴室湿度センサーの値と脱衣室湿度センサーの値が等しくなったとき前記換気扇の運転を停止する請求項２に記載の浴室乾燥システム。
【請求項４】
排気機能風路側に通風する量と循環機能風路側に通風する量を段階的に設定した値に変化して運転を切り換える請求項２または３に記載の浴室乾燥システム。
【請求項５】
前記ドアの通気口に通気を遮断できるシャッターを設け、前記シャッターは換気扇の運転と連動させた請求項１〜４のいずれか１項に記載の浴室乾燥システム。
【請求項６】
前記除湿装置を脱衣室の床面に埋設したヒータとする請求項１〜５のいずれか１項に記載の浴室乾燥システム。
【請求項７】
前記除湿装置を入浴中に運転する給湯機の排気熱導入する放熱器を脱衣室設置した請求項１〜５のいずれか１項に記載の浴室乾燥システム。
【発明の詳細な説明】
【技術分野】
【０００１】
本発明は換気扇を利用した浴室乾燥システムに関するものである。
【背景技術】
【０００２】
従来、この種の浴室乾燥システムは、浴室に換気扇を設置し換気扇を作動することでドアの通気口より脱衣室の空気を浴室内部に取り込んでいる。
【０００３】
図７は、従来の浴室乾燥システムを示すものである。図７において、１は浴室、２は換気扇、３はドア、４は通気口、５は脱衣室である。
【特許文献１】特開平８−１５８６７１号公報
【発明の開示】
【発明が解決しようとする課題】
【０００４】
しかしながら、前記従来の構成では、脱衣室の湿度が季節等により異なり脱衣室の湿度が高いときに換気扇を作動して浴室内部に空気を取り込んでも、取り込んだ空気が湿っているため浴室内部の乾きが悪いという課題を有していた。
【０００５】
本発明は、前記従来の課題を解決するもので、脱衣室の除湿装置で除湿した空気を換気扇を作動することによりドア通気口より浴室内部に取り込み浴室を素早くしかも効率良く乾燥させるとした浴室乾燥システムを提供することを目的とする。
【課題を解決するための手段】
【０００６】
前記従来の課題を解決するために、本発明の浴室乾燥システムは、浴室に換気扇を設置し、浴室と隣接した脱衣室に除湿装置を設置し、浴室と脱衣室間に設けたドアに通気口を設け、除湿装置により除湿した空気を換気扇を作動させ前記通気口より浴室内部に取り込む浴室乾燥システムとしたものである。
【０００７】
これによって、脱衣室の除湿装置で除湿した空気を換気扇を作動することによりドア通気口より浴室内部に取り込むことになる。
【発明の効果】
【０００８】
本発明の浴室乾燥システムは、浴室内部全体を素早くしかも効率良く乾燥させることができる。
【発明を実施するための最良の形態】
【０００９】
第１の発明は浴室に換気扇を設置し、浴室と隣接した脱衣室に除湿装置を設置し、浴室と脱衣室間に設けたドアに通気口を設け、除湿装置により除湿した空気を換気扇を作動させ前記通気口より浴室内部に取り込む浴室乾燥システムとすることにより、脱衣室の除湿装置で除湿した空気を換気扇を作動することによりドア通気口より浴室内部に取り込むこととなり、浴室内部全体を素早くしかも効率良く乾燥させることができる。
【００１０】
第２の発明は、特に、第１の発明の換気扇の空気を吸込む吸込み口と、前記吸込み口からの空気を浴室外に排気させる排気機能と浴室内部に吹出して空気を循環させる循環機能と、前記排気機能の風路と前記循環機能の風路とを切換える風路切換え部とを備えることにより、吸込み口より吸い込んだ空気を風路切り換え部で浴室外に排気させる排気機能側と浴室内部に吹出して空気を循環させる循環機能側に切り換えることとなり、排気機能のみの換気扇と比べて、浴室の乾燥状態に応じて風路を切り換えるため更に効率良く浴室内部全体を乾燥させることができる。
【００１１】
第３の発明は、特に、第２の発明の換気扇に浴室湿度センサーを設け、前記脱衣室に脱衣室湿度センサーを設け、前記浴室湿度センサーと脱衣室湿度センサーの情報により風路切換え部の切換えを行ない、浴室湿度センサーの値と脱衣室湿度センサーの値が等しくなったとき前記換気扇の運転を停止する請求項２に記載の浴室乾燥システムとすることにより、換気扇に設けた浴室湿度センサーにより浴室内部の湿度データを、脱衣室に設けた脱衣室湿度センサーにより脱衣室の湿度データを収集し、それぞれの湿度データの情報に応じて風路切換え部の切換えを行ない、双方の値が等しくなったとき換気扇の運転を停止することとなり、更に効率良く乾燥させることができ、しかも換気扇の運転時間を短縮させランニングコストを抑えることができる。
【００１２】
第４の発明は、特に、第２または第３の発明の排気機能風路側に通風する量と循環機能風路側に通風する量を段階的に設定した値に変化して運転を切り換えることにより、排気機能風路側に通風する量と循環機能風路側に通風する量を段階的に設定した値に変化して運転を切り換えることとなり、更に効率良く乾燥させることができる。
【００１３】
第５の発明は、特に、第１〜４のいずれか１つの発明のドアの通気口に通気を遮断できるシャッターを設け、前記シャッターは換気扇の運転と連動させることにより、ドアの通気口に設けたシャッターにより通気口を通過する空気を遮断することが可能で、シャッターは換気扇の運転と連動させることとなり、、更に効率良く乾燥させることができる。
【００１４】
第６の発明は、特に、第１〜５のいずれか１つの発明の除湿装置を脱衣室の床面に埋設したヒータとすることにより、脱衣室の床面に埋設したヒータにより床面を暖房する機能に加えて、脱衣室の空気を除湿することとなり、脱衣室の空気を除湿する専用の装置が不要になり、経済的で、簡単に空気を除湿できる。
【００１５】
第７の発明は、特に、第１〜５のいずれか１つの発明の除湿装置を入浴中に運転する給湯機の排気熱導入する放熱器を脱衣室設置した浴室乾燥システムとすることにより、入浴中に浴室の水栓等から出湯する際に運転する給湯器からの排気熱を脱衣室に設置した放熱器に導入し、脱衣室の空気を除湿することとなり、入浴中の給湯器からの排気熱を利用するため、経済的でしかも効率良く空気を除湿できる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における浴室乾燥システムの断面図を示し、  図２は換気扇断面図を示し、図３は浴室乾燥システムの模式図を示し、  図４は浴室乾燥システムの制御フロー図を示すものである。
【００１８】
図１において、浴室６の天井に換気扇７を設置し、浴室６に隣接した脱衣室１２には、除湿装置１３と脱衣室の湿度を検知する脱衣室湿度センサー１４が設置してあり、浴室６と脱衣室１２間には下部に通気口１０を設けたドア９を設置してあり、前記通気口１０には通気を遮断するシャッター１１が設置してある。
【００１９】
図２に示すように、換気扇７のルバー１５に浴室内部から空気を吸い込む吸込み口１６と浴室内部へ空気を循環する吐出し口１７を設け、浴室外に吸込み口１６からの空気を排気させる排気口１８を設けており、吸込み口１６の内部には浴室湿度センサー８を設置し吸気する浴室の湿度の検知ができる構成となっている。
【００２０】
風路切換え部２２はファン１９を回転させることで吸込み口１６から吸い込んだ空気を循環機能風路２１を通して吐出し口から浴室内部へ循環させる循環機能と排気機能風路２０を通して排気口１８から浴室外へ空気を排気させる排気機能とを切り換えることができる。
【００２１】
図３に示すように、制御部２３は脱衣室湿度センサー１４と、シャッター１１と、浴室湿度センサー８と、風路切り換え部２２と電気的に接続してある。
【００２２】
図４に示すように、制御部２３の運転フローとして３パターンに運転を分けて浴室内を乾燥させる。
【００２３】
以上のように構成された浴室乾燥システムについて、以下その動作、作用を説明する。
まず、換気扇７と除湿装置１３を作動させ、脱衣室１２に設置した除湿装置１３によって除湿した空気を浴室６内部に取り込む。
【００２４】
第一段階として換気扇７の風路切り換え部２２を排気機能風路２０側に切り換え、ドア９の通気口１０のシャッター１１を開けた状態で運転する。第一段階は浴室の湿度と脱衣室の湿度の差が運転を開始した直後の値の約１／３になるまで継続して運転する。
【００２５】
次に、第二段階として換気扇７の風路切り換え部２２を循環機能風路２１側に切り換え、ドア９の通気口１０のシャッター１１を閉じ、一定時間（例えば３０分間）運転する。
【００２６】
最後に、第三段階として換気扇７の風路切り換え部２２を排気機能風路２０側に５０％、循環機能風路２１側に残りの５０％が流れる位置に設定し、ドア９の通気口１０のシャッター１１を開ける。第三段階は浴室の湿度の値と脱衣室の湿度の値が等しくなるまで運転し、値が等しくなると換気扇７の運転を停止する。
【００２７】
以上のように、本実施の形態においては、第一段階では風路切り換え部２２を１００％排気機能風路２０側に切り換えることで、脱衣室１２の除湿装置１３で除湿された空気がドア９の通気口を通って換気扇７の吸込み口１６から入り、排気機能風路２０を通って浴室外へ排気されるため、高くなった浴室６の湿度を素早く下げることができる。
【００２８】
次に第二段階では風路切り換え部２２を１００％循環機能風路２１側に切り換えることで、浴室内の空気が換気扇７の吸込み口１６から入り、循環機能風路２１を通って浴室内へ循環されるため、高くなった浴室６の湿度を更に素早く下げることができる。
【００２９】
次に第三段階では風路切り換え部２２を５０％を排気機能風路２０側に、残りの５０％を循環機能風路２１側に設定することで、脱衣室１２の除湿装置１３で除湿された空気がドア９の通気口を通って換気扇７の吸込み口１６から入り、浴室内部へ循環する循環機能と浴室外へ排気する排気機能を同時に動かすため、浴室６の湿度を更に素早く下げることができ、浴室内部全体を素早くしかも効率良く乾燥させることができる。
【００３０】
また、本実施の形態では浴室湿度センサー８の値と脱衣室湿度センサー１４の値とが等しくなったとき換気扇７の運転を停止する構成としたことにより、効率良く乾燥させることができ運転時間を短縮させランニングコストも抑えることができる。
【００３１】
なお、本実施例の形態では運転パターンを三段階に分けて換気扇７の風路切り換え部２２の切り換え及びシャッター１１開閉を行ない浴室乾燥システムとしたが、浴室設置環境及び浴室タイプ等によって、風路切り換え部２２の切り換え角度，切り換えタイミング，シャッターの開閉の有無等を段階的に自由に設定してもよい。
【００３２】
また、本実施例の形態では除湿装置１３の換気扇７との連動運転は行なっていないが、除湿装置１３を制御部２３に電気配線し、換気扇７との連動運転を行なってもよい。
【００３３】
また、本実施例の形態では除湿装置１３を脱衣室１２内部に設置するとしたが、除湿装置１３が脱衣時の邪魔にならないように脱衣室１２の天井付近の壁にかけたり、除湿装置１３を脱衣室１２の屋外に設置して連結パイプ等で脱衣室１２に除湿した空気を送り込む構成としてもよい。
【００３４】
（実施の形態２）
図５は、本発明の第２の実施の形態における浴室乾燥システムの断面図を示すものである。
【００３５】
図５に示すように、脱衣室１２の床面にヒータ２４を埋め込んだ構成である。
【００３６】
なお、図において実施の形態１と同一符号のものは同一構造を有し説明は省略する
以上のように構成された浴室乾燥システムは、脱衣室の床面に埋設したヒータに通電することにより床面を暖房する機能に加えて、脱衣室の空気の温度が上昇し、相対湿度が低下することになり、実施の形態１と同様の運転を行うことにより、浴室の乾燥を行うことができる。
【００３７】
本実施の形態においては脱衣室の空気を除湿する専用の装置が不要になり、しかも脱衣室の暖房もできるため、経済的で使い勝手も良い。
【００３８】
（実施の形態３）
図６は、本発明の第３の実施の形態における浴室乾燥システムの断面図を示すものである。
【００３９】
図６において、浴室６の水栓２５に給湯する給湯機２８の排気熱を野外に放出する放出部２９に給湯機からの排熱を受ける導入パイプ２７を取り付け脱衣室１２に設置した放熱器２６に接続した構成である。
【００４０】
なお、図において実施の形態１と同一符号のものは同一構造を有し説明は省略する。
【００４１】
以上のように構成された浴室乾燥システムは、入浴中に水栓２５を使用すると、給湯機２８から排気熱が導入パイプ２７を通って放熱器２６に伝達され、脱衣室１２の空気を除湿することになり、実施の形態１と同様の運転を行うことにより、浴室の乾燥を行うことができる。
【００４２】
本実施の形態においては入浴中の給湯器からの排気熱を利用するため、経済的でしかも効率良く空気を除湿できる。
【産業上の利用可能性】
【００４３】
以上のように、本発明にかかる浴室乾燥システムは浴室内部全体を素早くしかも効率良く乾燥させることが可能となるため、洗面空間、脱衣室空間、トイレ空間の乾燥等の用途にも適用できる。
【図面の簡単な説明】
【００４４】
【図１】本発明の実施の形態１における浴室乾燥システムの断面図
【図２】本発明の実施の形態１における浴室乾燥システムの換気扇の断面図
【図３】本発明の実施の形態１における浴室乾燥システムの模式図
【図４】本発明の実施の形態１における浴室乾燥システムの制御フロー図
【図５】本発明の実施の形態２における浴室乾燥システムの断面図
【図６】本発明の実施の形態３における浴室乾燥システムの断面図
【図７】従来の浴室乾燥システムの構造図
【符号の説明】
【００４５】
６  浴室
７  換気扇
８  浴室湿度センサー
９  ドア
１０  通気口
１１  シャッター
１２  脱衣室
１３  除湿装置
１４  脱衣室湿度センサー
１６  吸込み口
２０  排気機能風路
２１  循環機能風路
２２  風路切り換え部
２４  ヒータ
２６  放熱器
２８  給湯機
【図１】
2005291668.tif 000003
【図２】
2005291668.tif 000004
【図３】
2005291668.tif 000005
【図４】
2005291668.tif 000006
【図５】
2005291668.tif 000007
【図６】
2005291668.tif 000008
【図７】
2005291668.tif 000009